(57)【要約】【課題】  反射光を抑えるとともに、その表面に映る影をぼかすことで良好な視認性を得ることが可能な計器装置を提供するものである。【解決手段】  背後に表示部１１を設けた第１の表示部材である平板状導光体３と、平板状導光体３の背後に設けられる第２の表示部材４とを備えた計器装置において、平板状導光体３の表面に凹凸部３ｃを形成し、この凹凸部３ｃを設けた側の前記第１の表示部材に反射防止膜３ｅを形成したものである。【選択図】  図２
2005156504.tif 000002
【特許請求の範囲】
【請求項１】
背面に表示部を設けた第１の表示部材と、前記第１の表示部材の背後に設けられる第２の表示部材とを備えた計器装置において、前記第１の表示部材の表面に凹凸部を形成し、この凹凸部を設けた側の前記第１の表示部材に反射防止膜を形成したことを特徴とする計器装置。
【請求項２】
指針と、この指針の背後に設けられるとともにその背面に表示部を設けた第１の表示部材と、前記第１の表示部材の背後に設けられる第２の表示部材とを備えた計器装置において、前記第１の表示部材の表面に凹凸部を形成し、この凹凸部を設けた側の前記第１の表示部材に反射防止膜を形成したことを特徴とする計器装置。
【請求項３】
前記反射防止膜に撥水層を設けたことを特徴とする請求項１または請求項２に記載の計器装置。
【発明の詳細な説明】
【技術分野】
【０００１】
本発明は、例えば自動車に搭載される計器装置に関し、特に、透過して背後を視認することが可能な表示部材を備えた計器装置に関する。
【背景技術】
【０００２】
従来の計器装置は、平板状導光板の裏面に文字板意匠を施すと共に、その裏面側に、平板状導光体に隔離させて遮光板を対向配置して文字板を構成し、遮光板にウォーニング意匠を施すと共に、ウォーニング意匠に対向させてウォーニング用光源を設けた。ウォーニング意匠は隔離距離により文字板意匠の後方に視認することができるものであった（例えば、特許文献１参照）。
【特許文献１】特開２０００−２８３９９号公報（図１参照）
【発明の開示】
【発明が解決しようとする課題】
【０００３】
しかし、従来の計器装置は、平板状導光板表面での反射光による視認性の低下を抑えるために、平板状導光体の表面にフッ化マグネシウムなどを真空蒸着させて透明な薄膜を作り、光の干渉を利用して照明などによる外光を打ち消すＡＲコーティングなどの反射防止膜を施してある。しかし、このようなＡＲコーティングを施した平板状導光板であっても、その表面に映る影（例えば、運転者の影など）をはっきりと視認することができ、視認性を低下させるものであった。特に、自動車などの計器装置においては、車両の移動に伴いその環境が様々に変化するため、外光の影響を受けやすかった。
【０００４】
そこで、本発明は、この点に鑑みてなされたもので、その主な目的は、反射光を抑えるとともに、その表面に映る影をぼかすことで良好な視認性を得ることが可能な計器装置を提供するものである。
【課題を解決するための手段】
【０００５】
本発明は前記目的を達成するため、背後に表示部を設けた第１の表示部材と、前記第１の表示部材の背後に設けられる第２の表示部材とを備えた計器装置において、前記第１の表示部材の表面に凹凸部を形成し、この凹凸部を設けた側の前記第１の表示部材に反射防止膜を形成したものである。
【０００６】
また、指針と、この指針の背後に設けられるとともにその背面に表示部を設けた第１の表示部材と、前記第１の表示部材の背後に設けられる第２の表示部材とを備えた計器装置において、前記第１の表示部材の表面に凹凸部を形成し、この凹凸部を設けた側の前記第１の表示部材に反射防止膜を形成したものである。
【０００７】
また、前記反射防止膜に撥水層を設けたものである。
【発明の効果】
【０００８】
以上、本発明によれば、初期の目的を達成することができ、反射光を抑えるとともに、その表面に映る影をぼかすことで良好な視認性を得ることが可能な計器装置を提供することができる。
【発明を実施するための最良の形態】
【０００９】
本発明の計器装置は、背後に表示部１１を設けた第１の表示部材である平板状導光体３と、平板状導光体３の背後に設けられる第２の表示部材４とを備えた計器装置において、平板状導光体３の表面に凹凸部３ｃを形成し、この凹凸部３ｃを設けた側の前記第１の表示部材に反射防止膜３ｅを形成したものである。このように構成したことによって、反射光を抑えるとともに、その表面に映る影をぼかすことで良好な視認性を得ることが可能な計器装置を提供することができる。
【００１０】
また、指針２と、この指針２の背後に設けられるとともにその背面に表示部１１を設けた第１の表示部材である平板状導光体３と、平板状導光体３の背後に設けられる第２の表示部材４とを備えた計器装置において、平板状導光体３の表面に凹凸部３ｃを形成し、この凹凸部３ｃを設けた側の前記第１の表示部材に反射防止膜３ｅを形成したものである。このように構成したことによって、反射光を抑えるとともに、その表面に映る影をぼかすことで良好な視認性を得ることが可能な計器装置を提供することができる。
【００１１】
また、反射防止膜３ｅに撥水層３ｆを設けたものである。このように構成したことによって、反射光を抑えるとともに、その表面に映る影をぼかすことで良好な視認性を得ることが可能な計器装置を提供することができる。また、撥水層を設けたことにより、第１の表示部材の取り扱いの容易な計器装置を提供することができる。
【実施例１】
【００１２】
図１から図３は本発明の一実施例を示すものである。
【００１３】
本実施例の計器装置１は、本実施例では、車両に搭載したエンジンの回転数を表すエンジン回転計であり、図１に示すように、指針２と第１の表示部材である平板状導光体３と第２の表示部材４を備えている。なお、５は見返しであり、６は見返し５の前面を覆うカバーガラスであり、７は平板状導光体３や第２の表示部材４を保持するフレームであり、８は指針２を駆動する計器本体であり、９は回路基板である。
【００１４】
指針２は後述する指針用光源によって発光するものであり、計器本体８と指針軸１０によって連結されており、計器本体８によって平板状導光体３上を回転する。
【００１５】
平板状導光体３は光が透過する合成樹脂であり、指針２の背後に設けられ、その背面に表示部１１である回転計の数字や目盛りなどを備えている。この表示部１１は白色で印刷によって形成されている。また、平板状導光体３は、その中央に貫通孔３ａを備えたリング形状である。
【００１６】
第２の表示部材４は平板状導光体３の背後に離間して設けられている。本実施例では、この第２の表示部材４はその表面前面を図示しない暗色（黒色）の着色層を備えており、その前面に白色のインクにて、第２の表示部４ａが印刷形成されている。この第２の表示部４ａは回転計の単位である。また、この第２の表示部材４も平板状導光体３と同様にその中央に貫通孔４ｂを備えたリング形状である。
【００１７】
見返し５は遮光性の合成樹脂にて形成されており、平板状導光体３が露出する開口５ａを備えている。また、この見返し５には、図示しない運転者側に伸びる庇５ｂを備えており、さらにこの庇５ｂにはカバーガラス６が固定されており、このカバーガラス６は透明な合成樹脂製で、指針２や平板状導光体３を埃などから保護するものである。
【００１８】
フレーム７は遮光性の白色の合成樹脂からなり、このフレーム７は遮光壁７ａと外周壁７ｃとを備えており、遮光壁７ａと外周壁７ｃは平板状の連結部７ｂにて接続されている。遮光壁７ａはほぼ円筒形である。遮光壁７ａの先端部が平板状導光体３の貫通孔３ａに挿入した状態で、平板状導光体３がフレーム７に固定されている。また、遮光壁７ａは第２の表示部材４の貫通孔４ｂを貫通し、第２の表示部材４が連結部７ｂ上に設けられている。また、遮光壁７ａの背後には、回路基板９が固定されている。
【００１９】
回路基板９には、指針２を駆動する計器本体８と指針２を照明する指針用光源１２が取り付けられている。光源１２は指針軸１０を中心とした円上に複数個設けられている。また、回路基板９には、平板状導光体３を照明する光源１３を実装した可撓性の配線基板１４と接続するコネクタ１５が設けられている。
【００２０】
計器本体８は交叉コイル式計器本体やステッピングモータなどが好適である。また、光源１２，１３は発光ダイオードなどである。本実施例では、指針用光源１２の発光色は赤色で、光源１３の発光色は白色であり、互いの発光色が異なっている。そして、指針用光源１２は遮光壁７ａにて囲まれた空間内に収納されており、光源１３は平板状導光体３の外周部周囲に設けられており、光源１２，１３の光は混じり合わないようになっている。
【００２１】
１６は遮光性の黒色の合成樹脂からなる遮蔽部材で、その形状はリング状であり、平板状導光体３と第２の表示部材４との間からフレーム７や配線基板１４が見えないように覆い隠すものである。
【００２２】
平板状導光体３の表面には、太陽光などの外光などの映り込み(グレア)を少なくして表示を見やすくするために、微細な凹凸部３ｃが設けられている。なお、この凹凸部３ｃを、平板状導光体３の表面に二酸化ケイ素(シリカ)などの粉末をコーティング処理して凹凸を作るシリカコーティングなどを施すことによって設けてもよい。また、凹凸部３ｃ上には、平板状導光体３の凹凸部３ｃを保護する硬質の保護層３ｄが形成されている。また、凹凸部３ｃを設けた平板状導光体３の保護層３ｄ上には、前記ＡＲコーティングなどの反射防止膜３ｅが形成されている。また、この反射防止膜３ｅは、平板状導光体３の背面側にも形成されている。また、反射防止膜３ｅに撥水層３ｆを設けてある。このように、撥水層３ｆを設けたことにより、計器装置の生産工程中などで反射防止膜３ｅにふれたとしても、撥水層３ｆによって、汚れを除去することが容易で、平板状導光体３の取り扱いが容易となる。
【００２３】
平板状導光体３は、光源１３から出た光によって、平板状導光体３内を通過して表示部１１を照明する。また、表示部１１と第２の表示部がそれぞれ同一平面上ではなく、それぞれ異なる面で視認されるので、奥行き感のある立体的な表示が可能となる
【００２４】
以上のように、反射防止膜３ｅ設けたことによって、平板状導光板３表面での反射光による視認性の低下を抑えることができ、また、平板状導光体３の表面に形成した微細な凹凸部３ｃを設けたことによって光が拡散し、その表面に映る影をぼかすことができ、視認性を低下を抑制し、良好な視認性を得ることができる。
【００２５】
また、凹凸部３ｃによって、通常であれば、平板状導光体３の背後の第２の表示部４ａがぼやけてしまうが、凹凸部３ｃ上に反射防止膜３ｅを形成したことで、表示部１１や第２の表示部４ａをくっきりと視認することができる。特に、本実施例にように、平板状導光体３と第２の表示部材４とを離間して配置し、平板状導光体３を通して表示部材４を視認する場合においては有効である。
【００２６】
また、本実施例では、凹凸部３ｃと反射防止膜３ｅとの間に保護層３ｄを設けてあったが、前記実施例に限定されるものではなく、凹凸部３ｃに直接反射防止膜３ｅを設けてもよい。
【図面の簡単な説明】
【００２７】
【図１】本発明の一実施例の計器装置の正面図。
【図２】図１中Ａ−Ａ線の断面図。
【図３】同実施例の平板状導光体（第１の表示部材）の拡大断面図。
【符号の説明】
【００２８】
１    計器装置
２    指針
３    第１の表示部材（平板状導光体）
３ｃ  凹凸部
３ｄ  保護層
３ｅ  反射防止膜
３ｆ  撥水層
４    第２の表示部材
１１    表示部
【図１】
2005156504.tif 000003
【図２】
2005156504.tif 000004
【図３】
2005156504.tif 000005